(57)【特許請求の範囲】
【請求項１】
無線によって受信した多値信号を復元する復調回路において、
前記多値信号の振幅の最大値および最小値を検出する振幅検出部と、
前記最大値および前記最小値より、前記多値信号がＨ状態であるかＬ状態であるかを判断するための複数のしきい値を算出するしきい値算出部と、
前記多値信号と前記しきい値のそれぞれとを比較して前記Ｈ状態および前記Ｌ状態を取得し、複数の受信データを復元する多値復元部と、を備え、
前記振幅検出部は、
前記多値信号の前記最大値を検出する最大値検出部と、
前記多値信号の振幅を前記最大値および前記最小値に二値化する振幅二値化部と、
二値化された前記多値信号から前記最小値を検出する最小値検出部と、を備え、
前記振幅二値化部は、受信した前記多値信号のレベルが前記最大値と前記最小値の間の中間レベルの場合、前記最大値と前記中間レベルの差を算出し、前記差を２倍した値を前記最大値から減算して前記最小値を算出しまたは前記最大値に予め決められた値を乗算して前記最小値を算出する、
ことを特徴とする復調回路。
【請求項２】
前記しきい値算出部は、前記多値信号の振幅がＮ個（Ｎ：３以上の正の整数）に分割されるように前記しきい値を算出することを特徴とする請求項１記載の復調回路。
【請求項３】
前記最小値検出部は、前回検出した前記最小値と今回検出した前記最小値との差に所定の係数を乗算した値を出力することを特徴とする請求項１記載の復調回路。
【請求項４】
前記多値信号の信号伝達開始前のピーク電流により、前記しきい値の初期値を算出するしきい値初期値決定部を有することを特徴とする請求項１記載の復調回路。
【請求項５】
無線によって受信した多値信号を復元する復調回路において、
前記多値信号の最大値を検出する第１の最大値検出部と、
前記最大値から前記多値信号を減算し、反転信号を出力する多値信号減算部と、
前記反転信号の振幅を最大値および最小値に二値化する振幅二値化部と、
二値化された前記反転信号の前記最大値を検出する第２の最大値検出部と、
前記第２の最大値検出部により検出された前記最大値より、前記反転信号がＨ状態であるかＬ状態であるかを判断するための複数のしきい値を算出するしきい値算出部と、
前記反転信号と前記しきい値のそれぞれとを比較して前記Ｈ状態および前記Ｌ状態を取得し、複数の受信データを復元する多値復元部と、を備え、
前記振幅二値化部は、前記反転信号のレベルが前記最大値と前記最小値の間の中間レベルの場合、前記中間レベルを２倍して前記反転信号の振幅の最大値を算出しまたは前記反転信号の振幅の最小値に予め決められた値を加算して前記反転信号の振幅の最大値を算出する、
ことを特徴とする復調回路。
【請求項６】
前記しきい値算出部は、前記反転信号の振幅がＮ個（Ｎ：３以上の正の整数）に分割されるように前記しきい値を算出することを特徴とする請求項５記載の復調回路。
【請求項７】
前記第２の最大値検出部は、前回検出した前記最大値と今回検出した前記最大値との差に所定の係数を乗算した値を出力することを特徴とする請求項５記載の復調回路。
【請求項８】
無線によって多値信号を受信し復元する電子機器において、
前記多値信号の振幅の最大値および最小値を検出する振幅検出部と、
前記最大値および前記最小値より、前記多値信号がＨ状態であるかＬ状態であるかを判断するための複数のしきい値を算出するしきい値算出部と、
前記多値信号と前記しきい値のそれぞれとを比較して前記Ｈ状態および前記Ｌ状態を取得し、複数の受信データを復元する多値復元部と、を備え、
前記振幅検出部は、
前記多値信号の前記最大値を検出する最大値検出部と、
前記多値信号の振幅を前記最大値および前記最小値に二値化する振幅二値化部と、
二値化された前記多値信号から前記最小値を検出する最小値検出部と、を備え、
前記振幅二値化部は、受信した前記多値信号のレベルが前記最大値と前記最小値の間の中間レベルの場合、前記最大値と前記中間レベルの差を算出し、前記差を２倍した値を前記最大値から減算して前記最小値を算出しまたは前記最大値に予め決められた値を乗算して前記最小値を算出する、
ことを特徴とする電子機器。
【請求項９】
無線によって多値信号を受信し復元する電子機器において、
前記多値信号の最大値を検出する第１の最大値検出部と、
前記最大値から前記多値信号を減算し、反転信号を出力する多値信号減算部と、
前記反転信号の振幅を最大値および最小値に二値化する振幅二値化部と、
二値化された前記反転信号の前記最大値を検出する第２の最大値検出部と、
前記第２の最大値検出部により検出された前記最大値より、前記反転信号がＨ状態であるかＬ状態であるかを判断するための複数のしきい値を算出するしきい値算出部と、
前記反転信号と前記しきい値のそれぞれとを比較して前記Ｈ状態および前記Ｌ状態を取得し、複数の受信データを復元する多値復元部と、を備え、
前記振幅二値化部は、前記反転信号のレベルが前記最大値と前記最小値の間の中間レベルの場合、前記中間レベルを２倍して前記反転信号の振幅の最大値を算出しまたは前記反転信号の振幅の最小値に予め決められた値を加算して前記反転信号の振幅の最大値を算出する、
ことを特徴とする電子機器。
【発明の詳細な説明】
【技術分野】
【０００１】
本発明は復調回路および電子機器に関し、特に無線によって受信した多値信号を復調する復調回路および無線によって多値信号を受信し復調する電子機器に関する。
【背景技術】
【０００２】
電池などの電源を持たない非接触ＩＣカードや非接触ＩＤチップのような非接触データキャリアでは、リーダ／ライタ装置から照射される電波エネルギーから電力を得ると同時に、その電波によってデータ通信を行っている。よって、非接触データキャリアおよびリーダ／ライタは、データを変調する変調回路および復調する復調回路を搭載している。【０００３】
非接触データキャリアおよびリーダ／ライタに搭載される復調回路は、受信信号から、受信信号がＨレベルであるかＬレベルであるかを判断するためのしきい値を算出し、そのしきい値を基に、受信信号に含まれている所定の受信データを得る。【０００４】
図１０は、非接触データキャリアに用いられる復調回路の回路ブロックを示した図である。図に示すように復調回路は、検波器１０１、最大最小検出部１０２、中間値算出部１０３、およびコンパレータ１０４を有している。【０００５】
検波器１０１は、アンテナによって受信された無線信号ＲＦを検波する。アンテナによって受信された無線信号ＲＦは、例えば、ＡＳＫ変調がされており、ローパスフィルタなどを通過させることによって、受信データＤ０の基となる包絡線を得る。最大最小検出部１０２は、検波器１０１から出力される信号の最大値および最小値を検出する。中間値算出部１０３は、最大最小検出部１０２によって検出された最大値および最小値から、受信した無線信号ＲＦがＨレベルであるかＬレベルであるかを判断するためのしきい値を算出する。例えば、最大値と最小値を加算して２で割った値をしきい値とする。コンパレータ１０４は、検波器１０１から出力される信号が、中間値算出部１０３によって算出されたしきい値より大きいか否かによって、Ｌ状態およびＨ状態を判定する。そして、判定したＬ状態およびＨ状態の受信データＤ０を後段の回路へと出力する。【０００６】
なお、信号の振幅変動や直流レベルの変動に関わらず、常に正確にディジタル信号を再生することができる自動しきい値制御回路がある。（例えば、特許文献１参照）。
【特許文献１】特開平１０−２６１９４０号公報
【発明の開示】
【発明が解決しようとする課題】
【０００７】
ところで、多くのデータを送受信しようとする場合、データの伝送速度を速くする必要がある。しかし、伝送速度を上げると、スプリアスが生じ、他の電子機器に影響を与えてしまう。そこで、伝送速度を上げることなく、多くのデータを受信することができる復調回路が望まれていた。【０００８】
本発明はこのような点に鑑みてなされたものであり、多値の信号を復調し、伝送速度を上げることなく多くのデータを受信することができる復調回路および電子機器を提供することを目的とする。
【課題を解決するための手段】
【０００９】
本発明では上記問題を解決するために、無線によって受信した多値信号を復元する復調回路において、前記多値信号の振幅の最大値および最小値を検出する振幅検出部と、前記最大値および前記最小値より、前記多値信号がＨ状態であるかＬ状態であるかを判断するための複数のしきい値を算出するしきい値算出部と、前記多値信号と前記しきい値のそれぞれとを比較して前記Ｈ状態および前記Ｌ状態を取得し、複数の受信データを復元する多値復元部と、を備え、前記振幅検出部は、前記多値信号の前記最大値を検出する最大値検出部と、前記多値信号の振幅を前記最大値および前記最小値に二値化する振幅二値化部と、二値化された前記多値信号から前記最小値を検出する最小値検出部と、を備え、前記振幅二値化部は、受信した前記多値信号のレベルが前記最大値と前記最小値の間の中間レベルの場合、前記最大値と前記中間レベルの差を算出し、前記差を２倍した値を前記最大値から減算して前記最小値を算出しまたは前記最大値に予め決められた値を乗算して前記最小値を算出する、ことを特徴とする復調回路が提供される。
【００１０】
このような復調回路によれば、多値信号の最大値および最小値から、受信データを復元するためのしきい値を算出し、多値信号としきい値電圧とを比較して、受信データを復元する。
【発明の効果】
【００１１】
本発明の復調回路では、多値信号の最大値および最小値から、受信データを復元するためのしきい値を算出し、多値信号としきい値電圧とを比較して、受信データを復元するようにした。これによって、伝送速度を上げることなく多くのデータを受信することができる。【００１２】
本発明の上記および他の目的、特徴および利点は本発明の例として好ましい実施の形態を表す添付の図面と関連した以下の説明により明らかになるであろう。
【図面の簡単な説明】
【００１３】
【図１】第１の実施の形態に係る復調回路のブロック構成図である。
【図２】検波器から出力される多値信号を示した図である。
【図３】多値信号から受信データへの復元を説明する図である。
【図４】第２の実施の形態に係る復調回路のブロック構成図である。
【図５】多値信号から受信データへの復元を説明する図である。
【図６】第３の実施の形態に係る復調回路のブロック構成図である。
【図７】多値信号から受信データへの復元を説明する図である。
【図８】第４の実施の形態に係る復調回路のブロック構成図である。
【図９】多値信号から受信データへの復元を説明する図である。
【図１０】非接触データキャリアに用いられる復調回路の回路ブロックを示した図である。
【発明を実施するための最良の形態】
【００１４】
以下、本発明の第１の実施の形態を図面を参照して詳細に説明する。
図１は、第１の実施の形態に係る復調回路のブロック構成図である。図に示すように復調回路は、検波器１１、振幅検出部１２、しきい値算出部１３、および多値復元部１４を有している。図に示す復調回路は、例えば、非接触ＩＣカードや非接触ＩＤチップのような非接触データキャリアや、リーダ／ライタ装置に搭載され、無線によって送受信される多値信号の復調を行う。【００１５】
検波器１１は、アンテナによって受信された無線信号ＲＦを検波する。アンテナによって受信された無線信号ＲＦは、例えば、ＡＳＫ変調がされており、ローパスフィルタなどを通過させることによって、受信データＤ０〜Ｄｎの基となる包絡線（多値信号）を得る。検波器１１は、この多値信号を電流または電圧として振幅検出部１２および多値復元部１４に出力する。以下では、検波器１１は、多値信号を電流として出力するとする。【００１６】
ところで、多値信号は、信号伝達開始前、例えば、ＩＣカードとリードライタが近づいて通信可能となったとき、ピーク電流が続いて、その後、情報を含んだ信号となる。図２は、検波器から出力される多値信号を示した図である。多値信号は図に示すように信号伝達開始前、ピーク電流が続く。その後、情報を含んだ信号となる。なお、多値信号は、正の電流値をとるものとする。【００１７】
図１の説明に戻る。振幅検出部１２は、検波器１１から出力される多値信号の振幅の最大値および最小値を検出する。
しきい値算出部１３は、振幅検出部１２により検出された多値信号の振幅の最大値および最小値より、多値信号から受信データを復元するためのしきい値を算出する。例えば、多値信号がＮ値の多値信号であれば、多値信号の振幅がＮ個に分割（Ｎは３以上の正の整数）されるように、最大値および最小値よりしきい値を算出する。【００１８】
多値復元部１４は、検波器１１から出力される多値信号と、しきい値算出部１３から出力される各しきい値とを比較する。そして、多値信号の電流が、それぞれのしきい値において大きいか否かによって、多値信号に含まれているＨ状態およびＬ状態の情報を取得し、多値信号に含まれている受信データＤ０，Ｄ１，…，Ｄｎを復元する。【００１９】
次に、多値信号から受信データへの復元について、信号波形の図面を用いて説明する。
図３は、多値信号から受信データへの復元を説明する図である。図の（Ａ）は検波器１１から出力される３値の多値信号（以下、３値の多値信号において説明する）の波形を示している。３値の多値信号であるので、図に示すように、Ｈ状態およびＬ状態に対応するレベルのほかに、中間のレベルも存在している。図の（Ｂ），（Ｃ）は多値復元部１４から出力される受信データＤ０，Ｄ１を示している。【００２０】
振幅検出部１２は、図の（Ａ）に示す多値信号の振幅の最大値および最小値を検出する。しきい値算出部１３は、振幅検出部１２によって検出された多値信号の振幅の最大値および最小値から振幅の中心を算出する。そして、振幅の中心と振幅の最大値との中心を算出して、しきい値ＩｔｈＡを算出する。また、振幅の中心と振幅の最小値との中心を算出して、しきい値ＩｔｈＢを算出する。すなわち、多値信号の振幅が、しきい値ＩｔｈＡ，ＩｔｈＢで３個に分割されるようにしきい値を算出する。なお、Ｎ値の多値信号であっても前記と同様に振幅を分割していき、Ｎ−１個のしきい値を求める。【００２１】
多値復元部１４は、しきい値算出部１３から出力されるしきい値ＩｔｈＡと、多値信号を比較し、図の（Ｂ）に示すような受信データＤ０を出力する。例えば、多値信号の電流が、しきい値ＩｔｈＡより大きければ、多値信号は、Ｈ状態を示していると判断し、多値信号の電流が、しきい値ＩｔｈＡより小さければ、多値信号は、Ｌ状態を示していると判断し、図の（Ｂ）に示すような受信データＤ０を出力する。また、多値復元部１４は、しきい値算出部１３から出力されるしきい値ＩｔｈＢと、多値信号を比較し、図の（Ｃ）に示すような受信データＤ１を出力する。例えば、多値信号の電流が、しきい値ＩｔｈＢより大きければ、多値信号は、Ｈ状態を示していると判断し、多値信号の電流が、しきい値ＩｔｈＢより小さければ、多値信号は、Ｌ状態を示していると判断し、図の（Ｃ）に示すような受信データＤ１を出力する。【００２２】
このように、多値信号の最大値および最小値から、受信データを復元するためのしきい値を算出し、多値信号としきい値電圧とを比較して、受信データを復元するようにした。これによって、伝送速度を上げることなく多くのデータを受信することができる。【００２３】
また、多値信号の最大値および最小値からしきい値を動的に算出するので、検波器１１に入力される無線信号ＲＦの変調率が変化しようとも、安定して復調することができる。
なお、多値信号は、マンチェスタ符号を変調した信号であってもよい。【００２４】
次に、本発明の第２の実施の形態を図面を参照して詳細に説明する。第２の実施の形態では、多値信号を最大値および最小値の二値の振幅となるようにし、この二値化した多値信号から最小値を求めて、しきい値を算出するようにする。【００２５】
図４は、第２の実施の形態に係る復調回路のブロック構成図である。図に示すように復調回路は、検波器２１、最大値検出保持部２２、振幅二値化部２３、最小値検出保持部２４、しきい値算出部２５、多値復元部２６、およびサンプリングタイミング生成部２７を有している。【００２６】
検波器２１は、図１で説明した検波器１１と同様であり、アンテナによって受信された無線信号ＲＦから、多値信号を得る。多値信号は、最大値検出保持部２２、振幅二値化部２３、および多値復元部２６に出力される。【００２７】
最大値検出保持部２２は、検波器２１から出力される多値信号の電流の最大値を検出し、保持する。最大値検出保持部２２は、保持した多値信号の電流の最大値をしきい値算出部２５へ出力する。【００２８】
振幅二値化部２３は、検波器２１から出力される多値信号の振幅が最大値、最小値と交互になるようにする。例えば、中間レベルの多値信号（ここでは、３値の多値信号とする）が出力されても、必ず、最大値に対応するレベルおよび最小値に対応するレベルを交互に出力するようにする。また、多値信号の最大値が連続して出力されても、必ず、最大値レベルおよび最小値レベルを交互に出力するようにする。【００２９】
振幅二値化部２３には、多値復元部２６から出力される受信データＤ０，Ｄ１が入力され、この受信データＤ０，Ｄ１のＨ状態およびＬ状態に応じて、検波器２１から出力される多値信号が中間レベルであることを認識する。また、検波器２１から出力される多値信号の最大値が連続して続いたことを認識する。【００３０】
最小値検出保持部２４は、振幅二値化部２３から出力される多値信号の電流の最小値を検出し、保持する。最小値検出保持部２４は、保持した多値信号の最小値をしきい値算出部２５へ出力する。最小値検出保持部２４は、以下で説明するサンプリングタイミング生成部２７から出力されるタイミング信号に応じて、振幅二値化部２３から出力される二値化された多値信号の電流の最小値を保持する。【００３１】
しきい値算出部２５は、図１で説明したしきい値算出部１３と同様に、最大値検出保持部２２から出力される多値信号の振幅の最大値および最小値検出保持部２４から出力された多値信号の振幅の最小値より、多値信号から受信データＤ０，Ｄ１を復元するためのしきい値を算出する。【００３２】
多値復元部２６は、図１で説明した多値復元部１４と同様に、検波器１１から出力される多値信号と、しきい値算出部１３から出力される各しきい値とを比較する。そして、多値信号の電流が、それぞれのしきい値より大きいか否かによって、多値信号に含まれているＨ状態およびＬ状態の情報を取得し、多値信号に含まれている受信データＤ０，Ｄ１を復元する。【００３３】
サンプリングタイミング生成部２７には、多値復元部２６から出力される受信データＤ０が入力される。サンプリングタイミング生成部２７は、受信データＤ０に基づいて、一定周期のタイミング信号を生成する。【００３４】
次に、多値信号から受信データへの復元について、信号波形の図面を用いて説明する。
図５は、多値信号から受信データへの復元を説明する図である。図の（Ａ）の波形Ｗ１１は、検波器２１から出力される３値の多値信号の波形を示している。３値の多値信号であるので、図に示すように、Ｈ状態およびＬ状態に対応するレベルのほかに、中間のレベルも存在している。また、図の（Ａ）の波形Ｗ１２は、多値信号の振幅の最大値を示している。すなわち、最大値検出保持部２２は、波形Ｗ１２に示す電流値を保持して、しきい値算出部２５に出力することになる。図の（Ｂ）は、図の（Ａ）の波形Ｗ１１を最大値および最小値の振幅に二値化した波形を示している。すなわち、振幅二値化部２３から出力される電流値を示している。図の（Ｃ）は、最小値検出保持部２４によって保持された多値信号の最小値の電流を示している。図の（Ｄ）は、多値復元部２６から出力される受信データＤ０を示している。図の（Ｅ）は、多値復元部２６から出力される受信データＤ１を示している。図の（Ｆ）は、サンプリングタイミング生成部２７から出力されるタイミング信号を示している。【００３５】
図４の検波器２１からは、図の（Ａ）の波形Ｗ１１に示すような多値信号が出力される。最大値検出保持部２２は、図の（Ａ）の波形Ｗ１２に示すように、検波器２１から出力される多値信号の最大値を保持し、しきい値算出部２５に出力する。【００３６】
振幅二値化部２３は、中間レベルおよびＨ状態を連続して出力する多値信号に対し、図の（Ｂ）に示すように二値化し、最小値検出保持部２４に出力する。振幅二値化部２３は、図の矢印に示すように受信データＤ０がＬ状態、受信データＤ１がＨ状態である場合、多値信号が中間レベルにあることを認識でき、この場合に、多値信号が最小値をとるようにする。また、図の矢印に示すように受信データＤ０，Ｄ１にＨ状態が続いた場合、多値信号にＨ状態が連続したことを認識でき、この場合に、Ｈ状態が連続しないように、多値信号が最小値となるようにする。なお、中間レベルから振幅の最小値を得るには、例えば、最大値と中間レベルの差を算出し、その差を２倍した値を最大値から減算した値を最小値とする。また、最大値から振幅の最小値を得るには、例えば、最大値に予め決まっている値（１以下の値）を乗算して、最小値を得るようにする。【００３７】
最小値検出保持部２４は、図の（Ｆ）に示すサンプリングタイミング生成部２７のタイミング信号に応じて、図の（Ｃ）に示すように二値化された多値信号の最小値を保持して、しきい値算出部２５に出力する。【００３８】
しきい値算出部２５は、最大値検出保持部２２から出力される多値信号の振幅の最大値および最小値検出保持部２４から出力される多値信号の振幅の最小値より、図の（Ａ）に示すようなしきい値ＩｔｈＡ，ＩｔｈＢを算出する。【００３９】
多値復元部２６は、しきい値算出部２５から出力されるしきい値ＩｔｈＡと、多値信号を比較し、図の（Ｄ）に示すような受信データＤ１を出力する。また、多値復元部２６は、しきい値算出部２５から出力されるしきい値ＩｔｈＢと、多値信号を比較し、図の（Ｅ）に示すような受信データＤ０を出力する。【００４０】
サンプリングタイミング生成部２７は、カウンタを有しており、受信データＤ０が立ち下がった後、所定のカウント数がカウントされると、図の（Ｆ）に示すような受信データＤ０のパルス幅より十分小さいパルス幅のタイミング信号を出力する。なお、Ｈ状態の受信データＤ０が続くような場合には、前回のカウント値を参照して、周期的にタイミング信号を出力するように制御する。【００４１】
このように、中間レベルおよびＨ状態の続く場合のある多値信号を、二値化することにより、確実に多値信号の最小値を得て、受信データＤ０，Ｄ１を復元できるようにした。これによって、伝送速度を上げることなく多くのデータを確実に受信することができる。【００４２】
次に、本発明の第３の実施の形態を図面を参照して詳細に説明する。第３の実施の形態では、検波器から出力される多値信号の電流の最小値が０となるようにし、回路の信号処理が容易となるようにする。【００４３】
図６は、第３の実施の形態に係る復調回路のブロック構成図である。図に示すように復調回路は、検波器３１、最大値検出保持部３２、差分部３３、振幅二値化部３４、最大値検出保持部３５、しきい値算出部３６、多値復元部３７、サンプリングタイミング生成部３８を有している。【００４４】
検波器３１は、図１で説明した検波器１１と同様であり、アンテナによって受信された無線信号ＲＦから、多値信号を得る。多値信号は、最大値検出保持部３２および差分部３３に出力される。【００４５】
最大値検出保持部３２は、検波器３１から出力される多値信号の電流の最大値を検出し、保持する。最大値検出保持部３２は、保持した多値信号の電流の最大値を差分部３３に出力する。【００４６】
差分部３３は、最大値検出保持部３２で保持された多値信号の電流の最大値から、検波器３１から出力される多値信号を減算し、出力する。これにより、差分部３３からは、多値信号を反転し、多値信号の電流の最小値が０となる多値信号が出力される。多値信号の最小レベルの電流を０にすることにより、後段の回路の信号処理が容易となる。差分部３３から出力される反転された多値信号は、振幅二値化部３４および多値復元部３７へ出力される。【００４７】
振幅二値化部３４は、図４の振幅二値化部２３と同様にして、多値復元部３７から出力される受信データＤ０，Ｄ１に応じて差分部３３から出力される反転された多値信号を二値化する。すなわち、振幅二値化部３４は、中間レベルの多値信号（ここでは、３値の多値信号とする）が出力されても、必ず、Ｈ状態に対応するレベルおよびＬ状態に対応するレベルを交互に出力するようにする。また、多値信号の最小値が連続して出力されても、必ず、最大値レベルおよび最小値レベルを交互に出力するようにする。【００４８】
最大値検出保持部３５は、振幅二値化部３４から出力される多値信号の最大値を検出し、保持する。多値信号は、前述したように差分部３３によって反転され、最小レベルの電流値が０となっているので、ここでは、最大値を保持するようにする。最大値検出保持部３５は、以下で説明するサンプリングタイミング生成部３８から出力されるタイミング信号に応じて、振幅二値化部３４から出力される二値化された多値信号の電流の最大値を保持する。【００４９】
しきい値算出部３６は、図１で説明したしきい値算出部１３と同様にして、最大値検出保持部３５から出力された多値信号の振幅の最大値により多値信号から受信データＤ０，Ｄ１を復元するためのしきい値を算出する。なお、多値信号の振幅の最小値は、差分部３３によって０である。【００５０】
多値復元部３７は、差分部３３によって反転された多値信号と、しきい値算出部３６から出力される各しきい値とを比較する。そして、差分部３３から出力される多値信号の電流が、しきい値より大きいか否かによって、多値信号に含まれているＨ状態およびＬ状態の情報を取得し、多値信号に含まれている受信データＤ０，Ｄ１を復元する。【００５１】
サンプリングタイミング生成部３８は、図４で説明したサンプリングタイミング生成部２７と同様に、受信データＤ０に基づいて、一定周期のタイミング信号を生成する。タイミング信号は、最大値検出保持部３５に出力される。【００５２】
次に、多値信号から受信データへの復元について、信号波形の図面を用いて説明する。
図７は、多値信号から受信データへの復元を説明する図である。図の（Ａ）の波形Ｗ２１は、検波器２１から出力される３値の多値信号の波形を示している。３値の多値信号であるので、図に示すように、Ｈ状態およびＬ状態に対応するレベルのほかに、中間のレベルも存在している。また、図の（Ａ）の波形Ｗ２２は、多値信号の振幅の最大値を示している。すなわち、最大値検出保持部３２は、波形Ｗ２２に示す電流値を保持して、差分部３３に出力することになる。図の（Ｂ）は、差分部３３から出力される電流を示している。差分部３３は、最大値検出保持部３２から出力される最大値から多値信号を減算した電流を出力し、その電流は図に示すように最小値が０となり、多値信号を反転した形となる。図の（Ｃ）は、振幅二値化部３４から出力される二値化された多値信号を示している。図の（Ｄ）は、二値化された多値信号の最小値の電流値である０と、最大値検出保持部３５によって保持された最大値の電流Ｉｍａｘが示してある。図の（Ｅ）は、多値復元部３７から出力される受信データＤ０を示している。図の（Ｆ）は、多値復元部３７から出力される受信データＤ１を示している。図の（Ｇ）は、サンプリングタイミング生成部３８から出力されるタイミング信号を示している。【００５３】
図６の検波器３１からは、図の（Ａ）の波形Ｗ２１に示すような多値信号が出力される。最大値検出保持部３２は、図の（Ａ）の波形Ｗ２２に示すように、検波器３１から出力される多値信号の最大値を保持し、差分部３３に出力する。【００５４】
差分部３３は、最大値検出保持部３２により保持された最大値から、多値信号を減算し、図の（Ｂ）に示すような最小値が０の、波形を反転した多値信号を出力する。
振幅二値化部３４は、差分部３３の多値信号に対し、図の（Ｃ）に示すように二値化し、最大値検出保持部３５に出力する。中間レベルから振幅の最大値を得るには、例えば、中間レベルを２倍した値を最大値とする。また、最小値から振幅の最大値を得るには、例えば、予め決まっている値を加算して、最大値とするようにする。このように、最小レベルを０にすることにより、二値化の処理が容易となる。【００５５】
最大値検出保持部３５は、図の（Ｇ）に示すサンプリングタイミング生成部３８のタイミング信号に応じて、図の（Ｄ）に示すように二値化された多値信号の最大値（電流Ｉｍａｘ）を保持して、しきい値算出部３６に出力する。【００５６】
しきい値算出部３６は、最大値検出保持部３５から出力される多値信号の振幅の最大値より、図の（Ａ）に示すようなしきい値ＩｔｈＡ，ＩｔｈＢを算出する。なお、振幅の最小値は０と分かっているので、振幅の最大値のみから容易にしきい値ＩｔｈＡ，ＩｔｈＢを算出することができる。【００５７】
多値復元部３７は、しきい値算出部３６から出力されるしきい値ＩｔｈＡと、多値信号を比較し、図の（Ｅ）に示すような受信データＤ０を出力する。また、多値復元部３７は、しきい値算出部３６から出力されるしきい値ＩｔｈＢと、多値信号を比較し、図の（Ｆ）に示すような受信データＤ１を出力する。【００５８】
このように、多値信号の最小値、つまり、基準レベルを０となるように変換することによって、後段の回路での信号処理が容易となる。また、基準レベルを０とすることによって、消費電流を低減することができる。【００５９】
次に、本発明の第４の実施の形態を図面を参照して詳細に説明する。第４の実施の形態では、多値信号を受信データに復元するためのしきい値の初期値が決まっており、例えば、復調回路の動作始動時、しきい値算出部は、しきい値の初期値によって、受信データを復元するようにする。【００６０】
図８は、第４の実施の形態に係る復調回路のブロック構成図である。図において、図４と同じものには同じ符号を付し、その説明は省略する。
検波器２１から出力される多値信号は、図２で説明したように信号伝達開始前、ピーク電流が続く。その後、情報を含んだ信号となる。しきい値初期値決定部４１は、最初のピーク電流より、初期値となるしきい値を算出し、しきい値算出部４２へ出力する。【００６１】
しきい値初期値決定部４１は、ピーク電流の所定倍した値をしきい値とする。例えば、多値信号を２値の多値信号とする。ピーク電流の０．７倍した電流値以下がＬ状態であるとすれば、しきい値は０．８５倍した電流値と決めることができる。すなわち、ピーク電流を０．８５倍した電流値より大きければＨ状態、その電流値以下であればＬ状態であると判断するようにする。３値の多値信号においても同様にしてピーク電流からしきい値の初期値を決定する。【００６２】
しきい値算出部４２は、信号伝達開始時、しきい値初期値決定部４１によって算出されたしきい値を多値復元部２６に出力する。その後、信号伝達が開始され、Ｈ状態およびＬ状態の情報を含む多値信号が出力されると、図４で説明したのと同様に、最大値検出保持部２２および最小値検出保持部２４から出力される多値信号の振幅の最大値および最小値より、多値信号から受信データＤ０，Ｄ１を復元するためのしきい値を算出する。【００６３】
このように、信号伝達開始時のピーク電流からしきい値の初期値を算出することにより、信号伝達開始時のピーク電流に乗っているノイズを信号と区別することが可能となる。
次に、本発明の第５の実施の形態を図面を参照して詳細に説明する。図４の復元回路では、最小値検出保持部２４が二値化された多値信号の最小値を検出して保持するが、多値信号にノイズが乗っている場合、保持する最小値に影響が出てしまう。そこで、第５の実施の形態では、最小値へのノイズの影響が少なくなるようにする。なお、第５の実施の形態では、図４の最小値検出保持部２４に機能が追加されるだけで、他の部分は同様である。よって、ブロック構成図を省略し、図４を用いて説明する。【００６４】
最小値検出保持部２４は、ノイズによって変動する多値信号の最小値に対して、最小値の変化分の５０％が出力されるようにする。すなわち、最小値検出保持部２４は、ノイズによる多値信号の最小値の変化（前回の最小値と今回の最小値との変化）に対し係数（１以下の値）を乗算し、ノイズの影響を抑制するようにする。【００６５】
次に、多値信号から受信データへの復元について、信号波形の図面を用いて説明する。
図９は、多値信号から受信データへの復元を説明する図である。図の（Ａ）は、図４の検波器２１から出力される３値の多値信号の波形を示している。３値の多値信号であるので、図に示すように、Ｈ状態およびＬ状態に対応するレベルのほかに、中間のレベルも存在している。また、多値信号は、ノイズが乗り、図に示すように最小値が変動している。図の（Ｂ）は、図の（Ａ）の多値信号を最大値および最小値の振幅に二値化した波形を示している。すなわち、振幅二値化部２３から出力される電流値を示している。多値信号の最小値は、前述したようにノイズによって変動しているので、二値化された多値信号の最小値も変動している。【００６６】
図の（Ｃ）は、最小値検出保持部２４から出力される保持された最小値を示している。第５の実施の形態の最小値検出保持部２４は、二値化された多値信号の、最小値の変化分の５０％が出力するようになっている。例えば、図の（Ｂ）に示す最小値Ｍ１１とＭ１２の変化分の５０％が、図の（Ｃ）に示すように出力されるようにする。また、最小値Ｍ１２とＭ１３の変化分の５０％が、図の（Ｃ）に示すように出力されるようにする。【００６７】
図の（Ｄ）は、多値復元部２６から出力される受信データＤ０を示している。図の（Ｅ）は、多値復元部２６から出力される受信データＤ１を示している。図の（Ｆ）は、サンプリングタイミング生成部２７から出力されるタイミング信号を示している。【００６８】
このように、二値化された多値信号の最小値に乗るノイズの影響を抑制することによって、適正なしきい値を算出することができるようになる。
なお、上記のノイズの抑制は、第３の実施の形態にも適用することができる。すなわち、図６の最大値検出保持部３５が、上記の最小値検出保持部２４と同様に、ノイズによる多値信号の最大値の変化に対し係数を乗算し、ノイズの影響を抑制するようにする。【００６９】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００７０】
１１  検波器
１２  振幅検出部
１３  しきい値算出部
１４  多値復元部
ＲＦ  無線信号
Ｄ０〜Ｄｎ  受信データ
【図１】
0004573871.tif 000002
【図２】
0004573871.tif 000003
【図３】
0004573871.tif 000004
【図４】
0004573871.tif 000005
【図５】
0004573871.tif 000006
【図６】
0004573871.tif 000007
【図７】
0004573871.tif 000008
【図８】
0004573871.tif 000009
【図９】
0004573871.tif 000010
【図１０】
0004573871.tif 000011